(57)【要約】【課題】収容された玉子等の物品の下方及び上方を保護できるとともに、強度を向上できる容器を提供すること。【解決手段】第１領域１１、第３領域１３及び第５領域１５は、物品（例えば、玉子）が収容されたときに、玉子の外周面に対向する縁が、折り線に直交する方向に延びる中心線を対称軸Ｃとする線対称の形状に形成された物品収容部１６を、それぞれ有し、第２領域１２は、第２の折り線１１２が谷折りされることで、玉子の下に配置される底部を形成し、第４領域１４は、第３の折り線１１３が山折りされることで、玉子の上に配置される天井部を形成し、第１の折り線１１１が谷折りされることで、第１領域１１、第２領域１２及び第３領域１３により三角柱形状が形成され、第４の折り線１１４が山折りされることで、第３領域１３、第４領域１４及び第５領域１５により三角柱形状が形成された容器。【選択図】図２
2015145246.tif 000002
【特許請求の範囲】
【請求項１】
物品が収容され、前記物品を衝撃から保護する保護体を備える物品収容容器であって、
前記保護体は、
四角形状の折り曲げ可能な板状体で形成され、
一辺と当該一辺に平行な他辺との間に、前記一辺と平行な４本の折り線が形成され、
前記一辺と第１の前記折り線との間に形成された第１領域と、
前記第１領域に隣接し、第１の前記折り線と第２の前記折り線との間に形成された第２領域と、
前記第２領域に隣接し、第２の前記折り線と第３の前記折り線との間に形成された第３領域と、
前記第３領域に隣接し、第３の前記折り線と第４の前記折り線との間に形成された第４領域と、
前記第４領域に隣接し、第４の前記折り線と前記他辺との間に形成された第５領域と、を備え、
前記第１領域、前記第３領域及び前記第５領域は、前記物品が収容されたときに、前記物品の外周面に対向する縁が、前記折り線に直交する方向に延びる中心線を対称軸とする線対称の形状に形成された物品収容部を、それぞれ有し、
前記第２領域は、第２の前記折り線が谷折りされることで、前記物品の下に配置される底部を形成し、
前記第４領域は、第３の前記折り線が山折りされることで、前記物品の上に配置される天井部を形成し、
第１の前記折り線が谷折りされることで、前記第１領域、前記第２領域及び前記第３領域により三角柱形状が形成され、
第４の前記折り線が山折りされることで、前記第３領域、前記第４領域及び前記第５領域により三角柱形状が形成される物品収容容器。
【請求項２】
前記第１領域及び前記第５領域には、前記一辺と平行な中間折り線が、それぞれ形成され、
前記第１領域は、前記一辺と前記中間折り線との間に形成され、前記中間折り線が谷折りされることで、前記第３領域の一方の面に面接触する第１領域面接触部を有し、
前記第５領域は、前記他辺と前記中間折り線との間に形成され、前記中間折り線が山折りされることで、前記第３領域の他方の面に面接触する第５領域面接触部を有し、
前記第１領域面接触部には、前記一辺と直交する直交辺に形成された一対の第１領域切り込み線が設けられ、一対の前記第１領域切り込み線に挟まれた第１領域係止部を有し、
前記第５領域面接触部は、前記直交辺に形成された一対の第５領域切り込み線が設けられ、一対の前記第５領域切り込み線に挟まれた第５領域係止部を有し、
前記第３領域は、前記直交辺に形成された一対の第３領域切り込み線が複数設けられ、一対の前記第３領域切り込み線に挟まれた複数の第３領域係止部を有し、
前記第３領域係止部は、前記第３領域の一方の面に前記第１領域面接触部が面接触した状態で、前記第１領域係止部とともに折り込まれ、前記第３領域の他方の面に前記第５領域面接触部が面接触した状態で、前記第５領域係止部とともに折り込まれる請求項１に記載の物品収容容器。
【請求項３】
内部に空間を有する筒状体に形成された外箱を、更に備え、
前記保護体は、前記外箱の内部に挿入される請求項１又は２に記載の物品収容容器。
【発明の詳細な説明】
【技術分野】
【０００１】
本発明は、物品収容容器に関し、詳しくは、玉子等の物品が収容され、当該物品を衝撃から保護する保護体を備える物品収容容器に関する。
【背景技術】
【０００２】
従来、玉子等の物品は、外部からの衝撃により殻が割れてしまうおそれがあるため、外部からの衝撃に対する緩衝部材を備える容器に収容される。
【０００３】
例えば、このような緩衝部材として、相互に対面し合う二組の緩衝板と起立板とから成り、各緩衝板が外ケースの各側板の上端縁にそれぞれ連設され、各起立板が外ケースの各端板と、各端板の上端縁に連設された係止片との間に挟み込まれ、互いに対面する緩衝板と起立板とに、所要間隔をおいて複数の切込みを対応させて設け、この切込みにより卵嵌入凹所を形成した卵支持具が提案されている（特許文献１）。
この卵支持具によれば、外ケース内に保持され、端面方向からの衝撃に対しても、緩衝作用を発揮することができる。
【先行技術文献】
【特許文献】
【０００４】
【特許文献１】特開平７−２５７６７３号公報
【発明の概要】
【発明が解決しようとする課題】
【０００５】
しかしながら、特許文献１の卵支持具は、卵が挿入される方向である卵の上方が開放されている。このため、上方からの衝撃を緩衝できず、また、下方からの衝撃により、卵が卵支持具から上方に飛び出すおそれがある。また、特許文献１の卵支持具は、衝撃を緩和する部材が、板材で構成されているため強度が弱いという問題もある。
【０００６】
本発明は、収容された玉子等の物品の下方及び上方を保護できるとともに、強度を向上できる物品収容容器を提供することを目的とする。
【課題を解決するための手段】
【０００７】
（１）物品が収容され、前記物品を衝撃から保護する保護体を備える物品収容容器であって、
前記保護体は、
四角形状の折り曲げ可能な板状体で形成され、
一辺と当該一辺に平行な他辺との間に、前記一辺と平行な４本の折り線が形成され、
前記一辺と第１の前記折り線との間に形成された第１領域と、
前記第１領域に隣接し、第１の前記折り線と第２の前記折り線との間に形成された第２領域と、
前記第２領域に隣接し、第２の前記折り線と第３の前記折り線との間に形成された第３領域と、
前記第３領域に隣接し、第３の前記折り線と第４の前記折り線との間に形成された第４領域と、
前記第４領域に隣接し、第４の前記折り線と前記他辺との間に形成された第５領域と、を備え、
前記第１領域、前記第３領域及び前記第５領域は、前記物品が収容されたときに、前記物品の外周面に対向する縁が、前記折り線に直交する方向に延びる中心線を対称軸とする線対称の形状に形成された物品収容部を、それぞれ有し、
前記第２領域は、第２の前記折り線が谷折りされることで、前記物品の下に配置される底部を形成し、
前記第４領域は、第３の前記折り線が山折りされることで、前記物品の上に配置される天井部を形成し、
第１の前記折り線が谷折りされることで、前記第１領域、前記第２領域及び前記第３領域により三角柱形状が形成され、
第４の前記折り線が山折りされることで、前記第３領域、前記第４領域及び前記第５領域により三角柱形状が形成される物品収容容器。
【０００８】
（１）の発明によれば、物品収容容器は、玉子等の物品が収容され、当該物品を衝撃から保護する保護体を備える。
保護体は、四角形状の折り曲げ可能な板状体で形成され、一辺と当該一辺に平行な他辺との間に、一辺と平行な４本の折り線が形成され、第１領域と、第２領域と、第３領域と、第４領域及び第５領域を備える。
第１領域は、一辺と第１の折り線との間に形成されている。
第２領域は、第１領域に隣接し、第１の折り線と第２の折り線との間に形成されている。
第３領域は、第２領域に隣接し、第２の折り線と第３の折り線との間に形成されている。
第４領域は、第３領域に隣接し、第３の折り線と第４の折り線との間に形成されている。
第５領域は、第４領域に隣接し、第４の折り線と他辺との間に形成されている。
第１領域、第３領域及び第５領域は、物品が収容されたときに、物品の外周面に対向する縁が、折り線に直交する方向に延びる中心線を対称軸とする線対称の形状に形成された物品収容部を、それぞれ有する。
そして、第２領域は、第２の折り線が谷折りされることで、物品の下に配置される底部を形成する。
第４領域は、第３の折り線が山折りされることで、物品の上に配置される天井部を形成する。
また、第１の折り線を谷折りすることで、第１領域、第２領域及び第３領域により三角柱形状が形成される。
また、第４の折り線を山折りすることで、第３領域、第４領域及び第５領域により三角柱形状が形成される。
【０００９】
これにより、物品収容容器は、以下の手順で組み立てられる。
まず、第１及び第２の折り線を谷折りし、第１領域、第２領域及び第３領域により三角柱形状を形成する。これにより、第２領域は、底部を形成する。
そして、第１領域及び第３領域の物品収容部に玉子等の物品を収容する。
次に、第３及び第４の折り線を谷折りし、第３領域、第４領域及び第５領域により三角柱形状を形成する。これにより、第４領域は、天井部を形成する。
このように、第２領域により形成された底部は物品収容部に収容された物品の下に配置され、第４領域により形成された天井部は物品収容部に収容された物品の上に配置される。
【００１０】
よって、収容された玉子等の物品の下方を第２領域により保護でき、上方を第４領域により保護できる。
また、物品収容容器の下部を第１領域、第２領域及び第３領域により形成した三角柱で構成し、上部を第３領域、第４領域及び第５領域により形成した三角柱で構成したので、物品収容容器の強度を向上できる。
更に、物品の下部を三角柱形状に形成された第１領域、第２領域及び第３領域により保持し、上部を三角柱形状に形成された第３領域、第４領域及び第５領域により保持することで、物品を宙に浮いた状態に近づけることが可能となり、周囲からの衝撃や落下時の衝撃を緩和し、玉子等の物品が割れるおそれを軽減できる。
したがって、収容された玉子等の物品の下方及び上方を保護できるとともに、強度を向上できる物品収容容器を提供できる。
【００１１】
（２）前記第１領域及び前記第５領域には、前記一辺と平行な中間折り線が、それぞれ形成され、
前記第１領域は、前記一辺と前記中間折り線との間に形成され、前記中間折り線が谷折りされることで、前記第３領域の一方の面に面接触する第１領域面接触部を有し、
前記第５領域は、前記他辺と前記中間折り線との間に形成され、前記中間折り線が山折りされることで、前記第３領域の他方の面に面接触する第５領域面接触部を有し、
前記第１領域面接触部には、前記一辺と直交する直交辺に形成された一対の第１領域切り込み線が設けられ、一対の前記第１領域切り込み線に挟まれた第１領域係止部を有し、
前記第５領域面接触部は、前記直交辺に形成された一対の第５領域切り込み線が設けられ、一対の前記第５領域切り込み線に挟まれた第５領域係止部を有し、
前記第３領域は、前記直交辺に形成された一対の第３領域切り込み線が複数設けられ、一対の前記第３領域切り込み線に挟まれた複数の第３領域係止部を有し、
前記第３領域係止部は、前記第３領域の一方の面に前記第１領域面接触部が面接触した状態で、前記第１領域係止部とともに折り込まれ、前記第３領域の他方の面に前記第５領域面接触部が面接触した状態で、前記第５領域係止部とともに折り込まれる（１）に記載の物品収容容器。
【００１２】
（２）の発明によれば、第１領域及び第５領域には、一辺と平行な中間折り線が、それぞれ形成されている。
そして、第１領域は、一辺と中間折り線との間に形成され、中間折り線が谷折りされることで、第３領域の一方の面に面接触する第１領域面接触部を有する。
また、第５領域は、他辺と中間折り線との間に形成され、中間折り線が山折りされることで、第３領域の他方の面に面接触する第５領域面接触部を有する。
更に、第１領域面接触部には、一辺と直交する直交辺に形成された一対の第１領域切り込み線が設けられ、一対の第１領域切り込み線に挟まれた第１領域係止部を有する。
また、第５領域面接触部は、直交辺に形成された一対の第５領域切り込み線が設けられ、一対の第５領域切り込み線に挟まれた第５領域係止部を有する。
また、第３領域は、直交辺に形成された一対の第３領域切り込み線が複数設けられ、一対の第３領域切り込み線に挟まれた複数の第３領域係止部を有する。
この第３領域係止部は、第３領域の一方の面に第１領域面接触部が面接触した状態で、第１領域係止部とともに折り込まれ、第３領域の他方の面に第５領域面接触部が面接触した状態で、第５領域係止部とともに折り込まれる。
【００１３】
これにより、第３領域と第１領域の第１領域面接触部が面接触した状態で係止されるので、第１領域、第２領域及び第３領域により形成した三角柱の一面を２枚重ねにした状態で固定される。また、第３領域と第５領域の第５領域面接触部が面接触した状態で係止されるので、第３領域、第４領域及び第５領域により形成した三角柱の一面を２枚重ねにした状態で固定される。
よって、物品収容容器の強度を更に向上できるとともに、この強度を向上させる三角柱が分解してしまうのを防止できる。
【００１４】
（３）内部に空間を有する筒状体に形成された外箱を、更に備え、
前記保護体は、前記外箱の内部に挿入される（１）又は（２）に記載の物品収容容器。
【００１５】
（３）の発明によれば、外箱の内部に保護体を挿入することで、保護体の外形が崩れるのを防止し、物品収容容器の強度を更に向上できる。
また、例えば、外箱に使用者に把持される把持部を設けることで、利便性を向上できる。
更に、外箱を設けることで、物品収容容器の外装が四角形状となり安定するので、例えば、レジ袋の底面に置く事も可能となり横倒し時において、玉子等の物品が割れるのを防ぐ事ができる。
【発明の効果】
【００１６】
本発明によれば、収容された玉子等の物品の下方及び上方を保護できるとともに、物品収容容器の強度を向上できる。
【図面の簡単な説明】
【００１７】
【図１】本発明の実施形態に係る物品収容容器１の斜視図である。
【図２】前記実施形態に係る保護体１０の展開図である。
【図３】前記実施形態に係る保護体１０の組み立て手順を説明する図である。
【図４】前記実施形態に係る保護体１０の組み立て手順を説明する図である。
【図５】前記実施形態に係る保護体１０の組み立て手順を説明する図である。
【図６】前記実施形態に係る保護体１０の組み立て手順を説明する図である。
【図７】前記実施形態の変形例に係る保護体１０Ａの展開図である。
【図８】前記実施形態の変形例に係る保護体１０Ａの斜視図である。
【図９】前記実施形態に係る外箱２０の展開図である。
【図１０】前記実施形態の応用例に係る物品収容容器１Ａの斜視図である。
【図１１】前記実施形態の応用例に係る外箱３０の展開図である。
【発明を実施するための形態】
【００１８】
以下、本発明の実施形態を図面に基づいて説明する。以下に説明において、同様に構成には、同一の符号を付し、その説明を省略又は簡略する。
図１は、本発明の実施形態に係る物品収容容器１の斜視図である。
物品収容容器１は、物品の一例である玉子が収容され、玉子を衝撃から保護する保護体１０と、内部に保護体１０が挿入される外箱２０と、を備える。
保護体１０及び外箱２０は、それぞれ１枚の板状体を折ることで形成されている。なお、本実施形態において、保護体１０及び外箱２０は、ダンボール製であるが、これに限らず、玉子を保持できれば、１層の紙、樹脂等の任意の素材で形成してもよい。
【００１９】
図２は、前記実施形態に係る保護体１０の展開図である。
保護体１０は、四角形状の折り曲げ可能な板状体で形成され、一辺１０ａと当該一辺１０ａに平行な他辺１０ｂとの間に、一辺１０ａと平行な４本の折り線として、第１の折り線１１１、第２の折り線１１２、第３の折り線１１３及び第４の折り線１１４が形成されている。
また、保護体１０は、一辺１０ａ、第１の折り線１１１、第２の折り線１１２、第３の折り線１１３及び第４の折り線１１４及び他辺１０ｂの各間に形成された、第１領域１１と、第２領域１２と、第３領域１３と、第４領域１４及び第５領域１５を備える。
【００２０】
第１領域１１は、一辺１０ａと第１の折り線１１１との間に形成されている。
第２領域１２は、第１領域１１に隣接し、第１の折り線１１１と第２の折り線１１２との間に形成されている。第２領域１２は、第２の折り線１１２が谷折りされることで、玉子の下に配置される底部を形成する。
第３領域１３は、第２領域１２に隣接し、第２の折り線１１２と第３の折り線１１３との間に形成されている。
第４領域１４は、第３領域１３に隣接し、第３の折り線１１３と第４の折り線１１４との間に形成されている。第４領域１４は、第３の折り線１１３が山折りされることで、玉子の上に配置される天井部を形成する。
第５領域１５は、第４領域１４に隣接し、第４の折り線１１４と他辺１０ｂとの間に形成されている。
【００２１】
第１領域１１、第３領域１３及び第５領域１５は、玉子が収容されたときに、玉子の外周面に対向する縁１６ａが、第１の折り線１１１に直交する方向（図２中左右方向のことであり、以下、左右方向とも言う。）に延びる中心線を対称軸Ｃとする線対称の形状に形成された物品収容部１６を、それぞれ有する。
【００２２】
物品収容部１６は、第１領域１１、第３領域１３及び第５領域１５に形成された楕円形状の孔であり、左右方向に所定間隔で、５列配列されている。なお、本実施形態において、物品収容部１６は、５列配列したが、これに限らず、物品収容容器１に収容可能とする玉子の数に応じて、１列、２列、６列等の任意の列数とすることができる。この場合、保護体１０及び外箱２０（図１参照）の左右方向の寸法を、物品収容部１６の数に応じて変えることができる。また、本実施形態において、物品収容部１６は、楕円形状に形成したが、これに限られず、四角形状に形成してもよい。
【００２３】
第１領域１１及び第５領域１５には、一辺１０ａと平行な中間折り線１１５が、それぞれ形成されている。
そして、第１領域１１は、一辺１０ａと中間折り線１１５との間に形成され、中間折り線１１５が谷折りされることで、第３領域１３の一方の面に面接触する第１領域面接触部１１ａを有する。
また、第５領域１５は、他辺１０ｂと中間折り線１１５との間に形成され、中間折り線１１５が山折りされることで、第３領域１３の他方の面に面接触する第５領域面接触部１５ａを有する。
【００２４】
第１領域面接触部１１ａには、一辺１０ａと直交する一対の直交辺１０ｃにそれぞれ形成された一対の第１領域切り込み線１１ｂが設けられ、一対の第１領域切り込み線１１ｂに挟まれた第１領域係止部１１ｃを有する。
また、第５領域面接触部１５ａは、直交辺１０ｃに形成された一対の第５領域切り込み線１５ｂが設けられ、一対の第５領域切り込み線１５ｂに挟まれた第５領域係止部１５ｃを有する。
また、第３領域１３は、直交辺１０ｃに形成された一対の第３領域切り込み線１３ｂが複数設けられ、一対の第３領域切り込み線１３ｂに挟まれた複数の第３領域係止部１３ｃを有する。
【００２５】
第３領域係止部１３ｃは、第３領域１３の一方の面に第１領域面接触部１１ａが面接触した状態で、第１領域係止部１１ｃとともに折り込まれ、第３領域１３の他方の面に第５領域面接触部１５ａが面接触した状態で、第５領域係止部１５ｃとともに折り込まれる。
【００２６】
一対の第１領域切り込み線１１ｂ、一対の第５領域切り込み線１５ｂ及び一対の第３領域切り込み線１３ｂは、保護体１０の中央部から直交辺１０ｃに向かって延び、直交辺１０ｃに向かって互いの間隔が広くなるように形成されている。即ち、第１領域係止部１１ｃ、第５領域係止部１５ｃ及び第３領域係止部１３ｃは、直交辺１０ｃ側に向かって幅が広がる台形形状に形成されている。
これにより、第３領域係止部１３ｃが第１領域係止部１１ｃ又は第５領域係止部１５ｃとともに折り込まれたとき、第３領域係止部１３ｃと、第１領域係止部１１ｃ又は第５領域係止部１５ｃとが分解し難くなる。
【００２７】
次に、保護体１０の組み立て手順を説明する。
図３から図６は、前記実施形態に係る保護体１０の組み立て手順を説明する図である。
まず、図２に示す状態から、第１の折り線１１１及び第１領域１１の中間折り線１１５を谷折りし、第１領域１１と第２領域１２により三角柱形状を形成し、図３に示す状態とする。
【００２８】
次に、図４に示すように、第２の折り線１１２を谷折りし、第１領域１１の第１領域面接触部１１ａに第３領域１３の一方の面を面接触させ、第１領域係止部１１ｃと第３領域係止部１３ｃとをともに折り込む。この状態において、第２領域１２は、保護体１０の底部を形成している。
そして、この状態において、第１領域１１及び第３領域１３の物品収容部１６に玉子２を挿入する。
【００２９】
次に、第４の折り線１１４及び第５領域１５の中間折り線１１５を山折りし、第５領域１５と第４領域１４により三角柱形状を形成し、図５に示す状態とする。
【００３０】
次に、第３の折り線１１３を山折りし、第５領域１５の第５領域面接触部１５ａに第３領域１３の他方の面を面接触させ、第５領域係止部１５ｃと第３領域係止部１３ｃとをともに折り込み、図６に示す状態とする。この状態において、第４領域１４は、保護体１０の天井部を形成している。
【００３１】
図６に示すように、第２領域１２により形成された底部は物品収容部１６に収容された玉子２の下に配置され、第４領域１４により形成された天井部は物品収容部１６に収容された玉子２の上に配置される。
【００３２】
図７は、前記実施形態の変形例に係る保護体１０Ａの展開図である。
変形例に係る保護体１０Ａは、第１領域１１、第３領域１３及び第５領域１５に形成された物品収容部１６Ａが一列であり、物品収容部１６Ａの大きさが本実施形態に係る物品収容部１６（図２参照）より大きい点が、本実施形態に係る物品収容部１６と異なる。
図８は、前記実施形態の変形例に係る保護体１０Ａの斜視図である。
保護体１０Ａは、上述の本実施形態に係る保護体１０と同様の手順で組み立てることで、図８に示す状態となる。
このように、本実施形態に係る保護体１０は玉子２のような比較的小さい物品を複数個収容する場合の一例であり、変形例に係る保護体１０Ａはマンゴーやメロン等のように、玉子２に比べ比較的大きい物品２Ａを１個収容する場合の一例である。
【００３３】
図１に戻って、外箱２０は、内部に空間を有する筒状体に形成され、内部に保護体１０が挿入される。
図９は、前記実施形態に係る外箱２０の展開図である。
外箱２０は、四角形状の折り曲げ可能な板状体で形成され、一辺２０ａと当該一辺２０ａに平行な他辺２０ｂとの間に、一辺２０ａと平行な３本の折り線として、第１の折り線２１１、第２の折り線２１２及び第３の折り線２１３が形成されている。
また、外箱２０は、一辺２０ａ、第１の折り線２１１、第２の折り線２１２及び第３の折り線２１３及び他辺２０ｂの各間に形成された、底部２１と、２つの側壁２２及び天井部２３を備える。
【００３４】
底部２１は、一辺２０ａと第１の折り線２１１との間に形成されている。
側壁２２は、第１の折り線２１１と第２の折り線２１２との間、第３の折り線２１３と他辺２０ｂとの間に形成されている。側壁２２には、保護体１０の物品収容部１６（図２参照）に対応する位置に、開口部２６が形成されている。
天井部２３は、第２の折り線２１２と第３の折り線２１３との間に形成されている。
【００３５】
外箱２０は、第１の折り線２１１、第２の折り線２１２及び第３の折り線２１３が谷折りされ、底部２１の一辺２０ａ側端部が、側壁２２の他辺２０ｂ側端部に固定され、内部に空間を有する四角柱形状に形成され、その内部に保護体１０が挿入され、図１に示す状態となる。
【００３６】
次に、本実施形態に係る物品収容容器１の作用効果について説明する。
本実施形態に係る物品収容容器１によれば、第２領域１２により形成された底部は物品収容部１６に収容された玉子２の下に配置され、第４領域１４により形成された天井部は物品収容部１６に収容された玉子２の上に配置される。
【００３７】
よって、収容された玉子２の下方を第２領域１２により保護でき、上方を第４領域１４により保護できる。
また、物品収容容器１の下部を第１領域１１、第２領域１２及び第３領域１３により形成した三角柱で構成し、上部を第３領域１３、第４領域１４及び第５領域１５により形成した三角柱で構成したので、物品収容容器１の強度を向上できる。
更に、玉子２の下部を三角柱形状に形成された第１領域１１、第２領域１２及び第３領域１３により保持し、上部を三角柱形状に形成された第３領域１３、第４領域１４及び第５領域１５により保持することで、玉子２を宙に浮いた状態に近づけることが可能となり、周囲からの衝撃や落下時の衝撃を緩和し、玉子が割れるおそれを軽減できる。
したがって、収容された玉子の下方及び上方を保護できるとともに、強度を向上できる物品収容容器を提供できる。
【００３８】
また、第３領域１３と第１領域１１の第１領域面接触部１１ａが面接触した状態で係止されるので、第１領域１１、第２領域１２及び第３領域１３により形成した三角柱の一面を２枚重ねにした状態で固定される。また、第３領域１３と第５領域１５の第５領域面接触部１５ａが面接触した状態で係止されるので、第３領域１３、第４領域１４及び第５領域１５により形成した三角柱の一面を２枚重ねにした状態で固定される。
よって、物品収容容器１の強度を更に向上できるとともに、この強度を向上させる三角柱が分解してしまうのを防止できる。
【００３９】
また、外箱２０の内部に保護体１０を挿入することで、保護体１０の外形が崩れるのを防止し、物品収容容器の強度を更に向上できる。
また、外箱２０を設けることで、物品収容容器１の外装が四角形状となり安定するので、例えば、レジ袋の底面に置く事も可能となり横倒し時において、玉子が割れるのを防ぐ事ができる。
【００４０】
次に、本実施形態の応用例に係る物品収容容器１Ａについて説明する。
図１０は、前記実施形態の応用例に係る物品収容容器１Ａの斜視図である。
本応用例に係る物品収容容器１Ａは、保護体１０を２つと、この２つの保護体１０を収容可能であり、把持部を有する外箱３０と、を備える点が本実施形態に係る物品収容容器１と異なる。
【００４１】
図１１は、前記実施形態の応用例に係る外箱３０の展開図である。
外箱３０は、互いに一端部が接続され、この一端部をとおる対称軸Ｃ２に線対称である一対の部材３１と、一方の部材３１に形成された挿入孔３２と、他方の部材３１の他端に設けられ、挿入孔３２に挿入される係止片３３と、を備える。
【００４２】
部材３１は、折り曲げ可能な板状体で形成され、四角形状の本体３１０と、本体３１０の一端に設けられた把持部３２０と、を備える。
【００４３】
本体３１０は、一辺３１０ａと当該一辺３１０ａに平行な他辺３１０ｂとの間に、一辺３１０ａと平行な３本の折り線として、第１の折り線３１１、第２の折り線３１２及び第３の折り線３１３が形成されている。
また、本体３１０は、一辺３１０ａ、第１の折り線３１１、第２の折り線３１２及び第３の折り線３１３及び他辺３１０ｂの各間に形成された、底部３１４と、側壁３１５と、天井部３１６と、補助部３１７と、を備える。
【００４４】
底部３１４は、一辺３１０ａと第１の折り線３１１との間に形成されている。
側壁３１５は、第１の折り線３１１と第２の折り線３１２との間に形成されている。側壁３１５には、保護体１０の物品収容部１６（図２参照）に対応する位置に、開口部３１５ａが形成されている。
天井部３１６は、第２の折り線３１２と第３の折り線３１３との間に形成されている。
補助部３１７は、第３の折り線３１３と他辺３０ｂとの間に形成されている。
【００４５】
把持部３２０は、基端が補助部３１７の他辺３１０ｂ側側縁に設けられ、使用者に把持される開口部が形成されている。
一対の部材３１は、互いに把持部３２０の先端において接続されている。対称軸Ｃ２は、部材３１の把持部３２０の先端上を延びる。
【００４６】
挿入孔３２は、一方の部材３１の底部３１４において、第１の折り線３１１に沿って形成されている。
係止片３３は、他方の部材３１の底部３１４の側縁から突出して形成されている。
【００４７】
外箱３０は、第１の折り線３１１及び第２の折り線３１２が谷折りされ、第３の折り線３１３が山折りされ、一対の部材３１の接続部で谷折りされる。そして、一対の部材３１の補助部３１７及び把持部３２０が互いに重ね合わせられ、一対の部材３１の底部３１４が互いに重ね合わせられ、挿入孔３２に係止片３３が挿入される。これにより、一対の部材３１の底部３１４、側壁３１５及び天井部３１６により、内部に空間を有する四角柱形状に形成され、その内部に並列された２つの保護体１０が挿入され、図１０に示す状態となる。
なお、本応用例では、外箱３０の内部に保護体１０を２つ並列して挿入しているが、２つに限らす、１つ又は３つ以上であってもよい。この場合、底部３１４及び天井部３１６の寸法を保護体１０の数に応じて調整する。
このように、外箱３０に使用者に把持される把持部３２０を設けることで、利便性を向上できる。
【００４８】
なお、本発明は前記実施形態に限定されるものではなく、本発明の目的を達成できる範囲での変形、改良等は本発明に含まれるものである。
【００４９】
また、本実施形態においては、物品収容容器として、玉子２を収容するために用いられる物品収容容器１を例に挙げて説明したが、本発明の物品収容容器は、必ずしもかかる用途に限定されるものではない。本発明の物品収容容器は、玉子のほか、例えば、苺、マンゴー、メロン、ブドウ等の果物、人参、トマト等の野菜のように表面に傷を付けたくないもの、あるいは、電球、蛍光灯、ＬＥＤライト等の電気部品、電子部品、精密機械部品、レンズ、コップ、グラス、眼鏡等のガラス製品、花瓶、湯呑み等の陶器、などのように外部からの衝撃に弱いものを収容するために用いることもできる。
【符号の説明】
【００５０】
１      物品収容容器
１０    保護体
１０ａ  一辺
１０ｂ  他辺
１１    第１領域
１１ａ  第１領域面接触部
１２    第２領域
１３    第３領域
１４    第４領域
１５    第５領域
１６    物品収容部
１６ａ  縁
１１１  第１の折り線
１１２  第２の折り線
１１３  第３の折り線
１１４  第４の折り線
Ｃ      対称軸
【図１】
2015145246.tif 000003
【図２】
2015145246.tif 000004
【図３】
2015145246.tif 000005
【図４】
2015145246.tif 000006
【図５】
2015145246.tif 000007
【図６】
2015145246.tif 000008
【図７】
2015145246.tif 000009
【図８】
2015145246.tif 000010
【図９】
2015145246.tif 000011
【図１０】
2015145246.tif 000012
【図１１】
2015145246.tif 000013